(57)【要約】【課題】  ディスプレイに応用されてアナログ入力のビデオ信号タイミングを認識する方法の提供。【解決手段】  水平同期信号中断計数値によりその入力するビデオタイミング信号を判断するため、計算する入力タイミング信号の水平及び垂直周波数、及び極性は皆同じであり、また本発明はその画素値を判断するため、ディスプレイに正確にそのビデオタイミング信号を表示させることができる。さらに、ディスプレイが表示するビデオタイミング信号が不正確である時、本発明は切り換え信号を入力してその表示モードを変換してディスプレイに正常にビデオタイミング信号の解析度を表示させる。【選択図】        図１
2006189742.tif 000002
【特許請求の範囲】
【請求項１】
ディスプレイに応用されアナログ入力されたビデオタイミング信号を認識する方法であり、水平同期信号中断計数値により入力タイミング信号を判断し、この方法は、
（Ａ）入力されたタイミング信号が改変されたかを判断するステップ、
（Ｂ）改変されたタイミング信号が検出設定したタイミング信号であるかを検査するステップ、
（Ｃ）水平同期信号中断計数値をクリアするステップ、
（Ｄ）垂直同期信号が正エッジトリガかを検出し、正エッジトリガでなければ、続けて該垂直同期信号に正エッジトリガ信号が出現するまで検出するステップ、
（Ｅ）該同期信号中断計数値が開始値であるかを判断し、成立すれば水平同期信号中断計数プログラムを起動し、並びに重複して（Ｄ）のステップを実行し、開始値でなければ、水平同期信号中断回数計数を中断し、並びに水平同期信号中断計数値を取得するステップ、
（Ｆ）中断プログラムが水平同期信号により中断される度に、その計数値を加え並びにそれを累計するステップ、
（Ｇ）水平同期信号中断計数値が設定値より大きいかを判断し、成立すれば入力されたタイミング信号を第１画素値となし、成立しなければ第２画素値となすステップ、
（Ｈ）水平同期信号中断回数の計数を終了するステップ、
以上の（Ａ）から（Ｈ）のステップを具えたことを特徴とする、アナログ入力されたビデオタイミング信号を認識する方法。
【請求項２】
請求項１記載のアナログ入力されたビデオタイミング信号を認識する方法において、（Ｂ）のステップで、設定したタイミング信号は、６４０×３５０、６４０×４００、７２０×３５０、７２０×４００より選択することを特徴とする、アナログ入力されたビデオタイミング信号を認識する方法。
【請求項３】
請求項１記載のアナログ入力されたビデオタイミング信号を認識する方法において、（Ｅ）のステップで、開始値は０であることを特徴とする、アナログ入力されたビデオタイミング信号を認識する方法。
【請求項４】
請求項１記載のアナログ入力されたビデオタイミング信号を認識する方法において、（Ｇ）のステップで、設定値は８００、第１画素値は７２０、第２画素値は６４０であることを特徴とする、アナログ入力されたビデオタイミング信号を認識する方法。
【請求項５】
請求項１記載のアナログ入力されたビデオタイミング信号を認識する方法において、ディスプレイは、液晶ディスプレイ、液晶テレビ、プラズマテレビ、ＣＲＴディスプレイのいずれかであることを特徴とする、アナログ入力されたビデオタイミング信号を認識する方法。
【請求項６】
ディスプレイに応用されアナログ入力されたビデオタイミング信号を認識する方法であり、この方法は、
（Ａ）特定のビデオタイミング信号フレームパラメータを計算し、並びにパラメータ値を該ディスプレイに保存するステップ、
（Ｂ）該特定のビデオタイミング信号フレームパラメータ値の一つを選択してビデオタイミング信号の設定値となすステップ、
（Ｃ）入力されたビデオタイミング信号が該特定のビデオタイミング信号フレームパラメータ値と符合するかを判断し、成立すればもとのタイミング信号フレームパラメータ値を維持し、成立しなければ外部装置より切り換え信号を入力し、そのビデオタイミング信号フレームパラメータ値を切り換えるステップ、
（Ｄ）切り換え後のビデオタイミング信号フレームパラメータ値を出力するステップ、  以上の（Ａ）から（Ｄ）のステップを具えたことを特徴とする、アナログ入力されたビデオタイミング信号を認識する方法。
【請求項７】
請求項６記載のアナログ入力されたビデオタイミング信号を認識する方法において、（Ａ）のステップで、特定のビデオタイミング信号は以下の水平及び垂直周波数がいずれも同じアナログ入力ビデオタイミング信号、則ち、６４０×３５０、７２０×３５０、６４０×４００、７２０×４００のいずれかが選択されることを特徴とする、アナログ入力されたビデオタイミング信号を認識する方法。
【請求項８】
請求項７記載のアナログ入力されたビデオタイミング信号を認識する方法において、（Ｃ）のステップで、外部装置より入力する切り換え信号がキー入力信号であることを特徴とする、アナログ入力されたビデオタイミング信号を認識する方法。
【請求項９】
請求項７記載のアナログ入力されたビデオタイミング信号を認識する方法において、ディスプレイは、液晶ディスプレイ、液晶テレビ、プラズマテレビ、ＣＲＴディスプレイのいずれかであることを特徴とする、アナログ入力されたビデオタイミング信号を認識する方法。
【発明の詳細な説明】
【技術分野】
【０００１】
本発明は一種のタイミング信号分析方法に係り、特にディスプレイに応用されてアナログ入力のビデオタイミング信号を認識する方法に関する。
【背景技術】
【０００２】
ディスプレイ製品は水平周波数、極性及び垂直周波数、極性によりアナログ入力のビデオ信号タイミングを認識するが、伝統的なディスプレイの技術は完全には全ての入力タイミング信号を認識できない。これは、入力されるタイミング信号中に水平及び垂直周波数が同じの場合が存在する可能性があり、また連続極性も同じである可能性があるためであり、これにより認識不能の情況が発生するのである。
【０００３】
このほか、周知のディスプレイはオンスクリーンディスプレイ（ＯＳＤ）メニュー機能を具備する製品により解析度、水平及び垂直周波数、及び極性等の情報を表示し、ゆえに認識不能の情況では、間違った情報が表示され、使用者の使用上の問題を形成する。
【発明の開示】
【発明が解決しようとする課題】
【０００４】
本発明は一種のディスプレイに応用されてアナログ入力されるビデオタイミング信号を認識する方法を提供することを目的とし、それは、水平同期信号中断計数値により入力タイミング信号を判断し、その包含するステップは以下のとおりである。
（Ａ）入力されたタイミング信号が改変されたかを判断するステップ、
（Ｂ）改変されたタイミング信号が検出設定されたタイミング信号であるかを検査するステップ、
（Ｃ）水平同期信号中断計数値をクリアするステップ、
（Ｄ）垂直同期信号が正エッジトリガかを検出し、垂直同期信号が正エッジトリガでなければ、続けて該垂直同期信号に正エッジトリガ信号が出現するまで検出するステップ、  （Ｅ）該同期信号中断計数値が開始値であるかを判断し、成立すれば水平同期信号中断計数プログラムを起動し、並びに重複して（Ｄ）のステップを実行するステップ、
（Ｆ）中断プログラムが水平同期信号により中断される度に、その計数値を加え並びにそれを累計するステップ、
（Ｇ）水平同期信号中断計数値が設定値より大きいかを判断し、成立すれば入力されたタイミング信号を第１画素値となし、成立しなければ第２画素値となすステップ、
（Ｈ）水平同期信号中断回数の計数を終了するステップ。
【０００５】
上述のディスプレイは液晶ディスプレイとされるのがよいが、ＣＲＴディスプレイ、プラズマディスプレイ等、同じ表示機能を有するディスプレイも採用可能である。これにより、本発明は水平同期信号の中断計数値により入力タイミング信号を判断し、アナログ入力されたタイミング信号を認識し、これにより、計算される入力タイミング信号の水平及び垂直周波数，及び極性が同じで、また入力タイミング信号の解析土を認識できる。
【０００６】
本発明はディスプレイに応用されてアナログ入力のビデオタイミング信号を認識する方法を提供し、それは、以下のステップを包含する。
（Ａ）特定のビデオタイミング信号フレームパラメータを計算し、並びにパラメータ値を該ディスプレイに保存するステップ、
（Ｂ）該特定のビデオタイミング信号フレームパラメータ値の一つを選択してビデオタイミング信号の設定値となすステップ、
（Ｃ）入力されたビデオタイミング信号が該特定のビデオタイミング信号フレームパラメータ値と符合するかを判断し、成立すればもとのタイミング信号フレームパラメータ値を維持し、成立しなければ外部装置より切り換え信号を入力し、そのビデオタイミング信号フレームパラメータ値を切り換えるステップ、
（Ｄ）切り換え後のビデオタイミング信号フレームパラメータ値を出力するステップ。
【０００７】
上述の外部装置より入力する切り換え信号はキー入力信号、或いは同じ機能を具えた装置、例えばリモートコントローラーのボタンより入力したものとされ得る。これにより、本発明は使用者が信号認識エラーを発見した時に、切り換え信号を入力することでその表示モードを変換し、ディスプレイに正常にビデオタイミング信号の解析度を表示させることができる。
【課題を解決するための手段】
【０００８】
請求項１の発明は、ディスプレイに応用されアナログ入力されたビデオタイミング信号を認識する方法であり、水平同期信号中断計数値により入力タイミング信号を判断し、この方法は、
（Ａ）入力されたタイミング信号が改変されたかを判断するステップ、
（Ｂ）改変されたタイミング信号が検出設定したタイミング信号であるかを検査するステップ、
（Ｃ）水平同期信号中断計数値をクリアするステップ、
（Ｄ）垂直同期信号が正エッジトリガかを検出し、正エッジトリガでなければ、続けて該垂直同期信号に正エッジトリガ信号が出現するまで検出するステップ、
（Ｅ）該同期信号中断計数値が開始値であるかを判断し、成立すれば水平同期信号中断計数プログラムを起動し、並びに重複して（Ｄ）のステップを実行し、開始値でなければ、水平同期信号中断回数計数を中断し、並びに水平同期信号中断計数値を取得するステップ、
（Ｆ）中断プログラムが水平同期信号により中断される度に、その計数値を加え並びにそれを累計するステップ、
（Ｇ）水平同期信号中断計数値が設定値より大きいかを判断し、成立すれば入力されたタイミング信号を第１画素値となし、成立しなければ第２画素値となすステップ、
（Ｈ）水平同期信号中断回数の計数を終了するステップ、
以上の（Ａ）から（Ｈ）のステップを具えたことを特徴とする、アナログ入力されたビデオタイミング信号を認識する方法としている。
請求項２の発明は、請求項１記載のアナログ入力されたビデオタイミング信号を認識する方法において、（Ｂ）のステップで、設定したタイミング信号は、６４０×３５０、６４０×４００、７２０×３５０、７２０×４００より選択することを特徴とする、アナログ入力されたビデオタイミング信号を認識する方法としている。
請求項３の発明は、請求項１記載のアナログ入力されたビデオタイミング信号を認識する方法において、（Ｅ）のステップで、開始値は０であることを特徴とする、アナログ入力されたビデオタイミング信号を認識する方法としている。
請求項４の発明は、請求項１記載のアナログ入力されたビデオタイミング信号を認識する方法において、（Ｇ）のステップで、設定値は８００、第１画素値は７２０、第２画素値は６４０であることを特徴とする、アナログ入力されたビデオタイミング信号を認識する方法としている。
請求項５の発明は、請求項１記載のアナログ入力されたビデオタイミング信号を認識する方法において、ディスプレイは、液晶ディスプレイ、液晶テレビ、プラズマテレビ、ＣＲＴディスプレイのいずれかであることを特徴とする、アナログ入力されたビデオタイミング信号を認識する方法としている。
請求項６の発明は、ディスプレイに応用されアナログ入力されたビデオタイミング信号を認識する方法であり、この方法は、
（Ａ）特定のビデオタイミング信号フレームパラメータを計算し、並びにパラメータ値を該ディスプレイに保存するステップ、
（Ｂ）該特定のビデオタイミング信号フレームパラメータ値の一つを選択してビデオタイミング信号の設定値となすステップ、
（Ｃ）入力されたビデオタイミング信号が該特定のビデオタイミング信号フレームパラメータ値と符合するかを判断し、成立すればもとのタイミング信号フレームパラメータ値を維持し、成立しなければ外部装置より切り換え信号を入力し、そのビデオタイミング信号フレームパラメータ値を切り換えるステップ、
（Ｄ）切り換え後のビデオタイミング信号フレームパラメータ値を出力するステップ、  以上の（Ａ）から（Ｄ）のステップを具えたことを特徴とする、アナログ入力されたビデオタイミング信号を認識する方法としている。
請求項７の発明は、請求項６記載のアナログ入力されたビデオタイミング信号を認識する方法において、（Ａ）のステップで、特定のビデオタイミング信号は以下の水平及び垂直周波数がいずれも同じアナログ入力ビデオタイミング信号、則ち、６４０×３５０、７２０×３５０、６４０×４００、７２０×４００のいずれかが選択されることを特徴とする、アナログ入力されたビデオタイミング信号を認識する方法としている。
請求項８の発明は、請求項７記載のアナログ入力されたビデオタイミング信号を認識する方法において、（Ｃ）のステップで、外部装置より入力する切り換え信号がキー入力信号であることを特徴とする、アナログ入力されたビデオタイミング信号を認識する方法としている。
請求項９の発明は、請求項７記載のアナログ入力されたビデオタイミング信号を認識する方法において、ディスプレイは、液晶ディスプレイ、液晶テレビ、プラズマテレビ、ＣＲＴディスプレイのいずれかであることを特徴とする、アナログ入力されたビデオタイミング信号を認識する方法としている。
【発明の効果】
【０００９】
本発明は水平同期信号中断計数値或いは設定ビデオタイミング信号フレームパラメータ値を用いて、伝統的なディスプレイが認識できなかったビデオタイミング信号を認識し、これにより使用者がディスプレイがビデオタイミング信号を認識できずに間違った情報を取得してしまう問題を減らす。
【発明を実施するための最良の形態】
【００１０】
本発明のアナログ入力されたビデオタイミング信号を認識する方法は、図１のフローチャート、及び図２の機能ブロック図に示されるようであり、本実施例では、アナログ入力されたビデオタイミング信号を認識する方法は、液晶ディスプレイ１００に応用される。まず、ステップＳ２０１において、マイクロプロセッサ１０が外界より入力されたタイミング信号（垂直及び水平同期信号）が改変されたかを判断する。通常使用者は液晶ディスプレイ１００上のＯＳＤ回路１３によりタイミング信号の解析度、水平及び垂直周波数、及び極性等の関係情報を表示できる。表示により入力されたタイミング信号が改変されたことが分かれば、改変されたタイミング信号が本発明で検出設定されたタイミング信号であるかを検査する（ステップＳ２０２）。本実施例では、検出設定されたタイミング信号は、６４０×３５０と７２０×３５０、及び６４０×４００と７２０×４００であり、そのうち、６４０×４００と７２０×４０はまたそれぞれに二組の垂直周波数が６０及び７０Ｈｚのタイミング信号を有し、この６組３対のタイミング信号の周波数と極性はいずれも同じであるため、伝統的なディスプレイでは明確に認識することができなかった。マイクロプロセッサ１０が改変されたタイミング信号が検出設定されたタイミング信号であると判断すると、本発明は二つの垂直同期信号の正エッジトリガ期間内の水平同期信号の中断値により入力タイミング信号を判断する。即ち、タイミング信号判別を行なう前に、先ずマイクロプロセッサ１０内部の計数器１２の水平同期信号中断計数値をクリア（ステップＳ２０３）し、図２に示されるように、水平同期信号をアナログデジタル変換器１１に入力するほか、マイクロプロセッサ１０のＩＮＴピンに接続する。このＩＮＴピンは中断機能を実行するのに用いられ、それは水平同期信号タイミング計数を行なえる。このほか、垂直同期信号をアナログデジタル変換器１１に入力するほか、マイクロプロセッサ１０のＩ／Ｐピンに接続し、このＩ／Ｐピンは計数開始と計数終了を検出するのに用いられる。
【００１１】
マイクロプロセッサ１０がタイミング信号判断開始する時、図３に示されるように、水平同期信号中断回数は二つの垂直同期信号正エッジトリガ時間内で計算されるため、まず垂直同期信号に正エッジトリガ信号があるかを検出する（ステップ２０４）必要がある。もし垂直同期信号に正エッジトリガ信号入力がなければ正エッジトリガ信号入力があるまで待ち、垂直同期信号正エッジトリガ信号入力があれば、水平同期信号中断回数の計数を開始し、続いて計数器１２の同期信号中断計数値が０であるかを判断し（ステップＳ２０５）、０であれば第１次の中断であることを示し、即ちマイクロプロセッサ１０のＩＮＴピンの中断機能を起動する（ステップＳ２０６）。水平同期信号が一回中断される毎に、計数に１を累計し（ステップＳ３０１〜３０３）、この計算は第２次の垂直同期信号正エッジトリガ信号が入力された時に終了する。垂直同期信号の第２次正エッジトリガ信号が入力される時、水平同期信号中断の計数を停止し、並びに水平同期信号中断計数値を取得する（ステップＳ２０７）。このとき計数器１２の同期信号中断計数値はすでに０でなく、マイクロプロセッサ１０は得られた同期信号中断計数値と設定値を比較する。本実施例では設定値は８００とされ、同期信号中断計数値が８００より大きければ、この入力されたビデオタイミングは７２０画素（ｐｉｘｅｌ）とされることを示し、８００より小さければ、この入力されたビデオタイミングは６４０画素とされることを示し、これにより、入力されたビデオタイミングを認識できる。入力されたビデオタイミング信号が既に認識されると、マイクロプロセッサ１０はＩＮＴピンの中断機能をクリアし、中断回数計数を終了し（ステップＳ２０８）、この時、アナログ入力されたビデオタイミング信号が認識されたため、液晶ディスプレイ１００は続けて正常な表示の機能を実行でき、並びにシステムが実行するプログラムを回復（ステップＳ２０９）。
【００１２】
このほか、図４に示されるように、本発明はＣＲＴディスプレイ４００にも応用可能であり、周知のマイクロプロセッサ４０自身は垂直同期信号中断を検出する機能を具えているため、ゆえに本実施例では、水平同期信号をマイクロプロセッサ４０に入力するＮＭＩ（Ｎｏ  Ｍａｓｋ  Ｉｎｔｅｒｒｕｐｔ）ピンのみを余分に必要とし、該ＮＭＩピンを同期信号タイミングの回数の計数に用いる。このほか、その達成する機能はいずれも上述の実施例と同じであるため、詳しい説明は省略する。
【００１３】
図５は本発明の別の簡易な実施例のフローチャートであり、図６の液晶ディスプレイのブロック図と併せて参照されたい。本実施例は液晶ディスプレイ６００に応用され、まず、ステップＳ５０１において、特定のビデオタイミング信号フレームパラメータ値を計算し、本実施例では特定のビデオタイミング信号は以下の水平及び垂直周波数がいずれも同じアナログ入力タイミング信号、則ち、６４０×３５０、７２０×３５０、６４０×４００、及び７２０×４００のいずれかとされる。上述のタイミング信号は３組に分けられ、則ち、６４０×３５０と７２０×３５０（水平周波数３１．５ＫＨｚ（正極性）、垂直周波数７０Ｈｚ（負極性））、６４０×４００と７２０×４００（水平周波数３１．５ＫＨｚ（正極性）、垂直周波数６０Ｈｚ（負極性））、６４０×４００と７２０×４００（水平周波数３１．５ＫＨｚ（正極性）、垂直周波数７０Ｈｚ（負極性））の３組である。本実施例では、６４０×３５０と７２０×３５０を採用して記載しているが、その他の二組の動作方式と原理は何れも同じであるため、僅かに６４０×３５０と７２０×３５０（水平周波数３１．５ＫＨｚ（正極性）、垂直周波数７０Ｈｚ（負極性））を代表とする。６４０×３５０と７２０×３５０のビデオタイミング信号パラメータ値、例えばフレーム垂直位置、フレーム水平位置、フレーム垂直サイズ、及びフレーム水平サイズ等のパラメータが計算される時、このパラメータ値を液晶ディスプレイ６００のメモリ装置６１内に保存し、本実施例では、６４０×３５０、７０Ｈｚを設定の表示信号として選択し（ステップＳ５０２）、並びにマイクロプロセッサ６０にフラグ６０１を設定し、並びにこのフラグ６０１をＨＩＧＨと設定して６４０×３５０、７０Ｈｚを代表させ、続いて、入力されたビデオタイミング信号が６４０×３５０、７０Ｈｚであるか否かを判断し（ステップＳ５０３）、入力されたビデオタイミング信号が６４０×３５０、７０Ｈｚであれば、もとの表示のタイミング信号フレームパラメータ値を維持し、６４０×３５０、７０Ｈｚでなければ、外部装置より切り換え信号、例えばキー入力信号、リモートコントローラーのホットキー信号等を入力し、このとき、フラグ６０１はＬＯＷに設定され、それはビデオタイミング信号フレームパラメータ値の切り換えを代表し、則ち、もとの６４０×３５０、７０Ｈｚから７２０×３５０、７０Ｈｚのビデオタイミング信号フレームパラメータ値に置き換えられる（ステップＳ５０４）。並びに切り換え後のビデオ信号フレームパラメータ値が出力され、続いてもとのシステムのプログラム実行の部分に戻る（ステップＳ５０５）。上述の実施例はＣＲＴディスプレイ、プラズマディスプレイ等、表示機能を具えた装置にも応用されて、同じ機能を達成できる。
【００１４】
上述したように、本発明は水平同期信号中断計数値或いは設定ビデオタイミング信号フレームパラメータ値を用いて、伝統的なディスプレイが認識できなかったビデオタイミング信号を認識し、これにより使用者がディスプレイがビデオタイミング信号を認識できずに間違った情報を取得してしまう問題を減らす。
【００１５】
以上の実施例は本発明の範囲を限定するものではなく、以上の実施例及び図面の記載に基づきなしうる細部の修飾或いは改変は、いずれも本発明の請求範囲に属するものとする。
【図面の簡単な説明】
【００１６】
【図１】本発明の好ましい実施例のフローチャートである。
【図２】本発明の液晶ディスプレイの実施例の機能ブロック図である。
【図３】本発明の好ましい実施例の同期信号タイミング表示図である。
【図４】本発明のＣＲＴディスプレイの実施例の機能ブロック図である。
【図５】本発明の簡易な実施例のフローチャートである。
【図６】本発明の簡易な実施例の機能ブロック図である。
【符号の説明】
【００１７】
１００  液晶ディスプレイ          １０  マイクロプロセッサ
１３  ＯＳＤ回路                  １２  計数器
１１  アナログデジタル変換器
４００  ＣＲＴディスプレイ        ４０  マイクロプロセッサ
６００  液晶ディスプレイ          ６１  メモリ装置
６０  マイクロプロセッサ          ６０１  フラグ
Ｓ２０１〜Ｓ２０９  ステップ      Ｓ３０１〜Ｓ３０３  ステップ
Ｓ５０１〜Ｓ５０４  ステップ
【図１】
2006189742.tif 000003
【図２】
2006189742.tif 000004
【図３】
2006189742.tif 000005
【図４】
2006189742.tif 000006
【図５】
2006189742.tif 000007
【図６】
2006189742.tif 000008